(57)【要約】【課題】容器の内容物の過剰な使用を抑制できるポンプを提供する。【解決手段】ポンプ１は、容器２の口部２ａに固定される固定部６と、容器２の内容物４を吐出するために固定部６に対して口部２ａの軸方向に進退可能な作動部７と、少なくとも口部２ａの周方向一方側Ｄ１に回動可能に固定部６に取付けられた回動部２９と、を備え、作動部７の後退が規制された後退規制状態から、回動部２９を周方向一方側Ｄ１に回動させる後退規制解除操作によって、作動部７の後退が許容される後退許容状態に移行可能であり、後退許容状態から、作動部７の後退及びその後の後退を経て後退規制状態に復帰可能である。【選択図】図１
2019206378.tif 000002
【特許請求の範囲】
【請求項１】
容器の口部に固定される固定部と、
前記容器の内容物を吐出するために前記固定部に対して前記口部の軸方向に進退可能な作動部と、
少なくとも前記口部の周方向一方側に回動可能に前記固定部に取付けられた回動部と、を備え、
前記作動部の後退が規制された後退規制状態から、前記回動部を前記周方向一方側に回動させる後退規制解除操作によって、前記作動部の後退が許容される後退許容状態に移行可能であり、
前記後退許容状態から、前記作動部の後退及びその後の前進を経て前記後退規制状態に復帰可能である、
ポンプ。
【請求項２】
前記作動部は、前記口部の径方向に弾性変位及び復元変位可能な、単一又は複数のユニットからなる変位可能部を備え、
前記回動部は、前記後退規制状態において前記作動部の後退を規制する後退規制部を備え、
前記後退規制部は、前記後退規制状態において、前記変位可能部の各ユニットに後方から当接することで前記変位可能部の各ユニットの後退を阻止可能であり、
前記変位可能部の各ユニットは、前進に伴う復元変位によって前記後退規制部の前方に移動可能である、
請求項１に記載のポンプ。
【請求項３】
前記回動部は、前記後退規制解除操作に伴って、前記変位可能部の各ユニットを前記径方向に弾性変位させるために前記変位可能部の各ユニットを押圧することで、前記後退規制状態から前記後退許容状態への移行を可能にする後退規制解除部を備える、請求項２に記載のポンプ。
【請求項４】
前記後退許容状態から、前記作動部の後退によって、前記作動部の前進が規制された前進規制状態に移行可能であり、
前記前進規制状態から、前記回動部を前記周方向一方側又は前記口部の周方向他方側に回動させる前進規制解除操作によって、前記作動部の前進が許容される前進許容状態に移行可能である、
請求項１〜３のいずれか一項に記載のポンプ。
【請求項５】
前記前進規制解除操作の回動方向は、前記後退規制解除操作の回動方向と同一である、請求項４に記載のポンプ。
【請求項６】
前記作動部は、前記口部の径方向に弾性変位及び復元変位可能な、単一又は複数のユニットからなる変位可能部を備え、
前記回動部は、
前記後退規制状態において前記作動部の後退を規制する後退規制部と、
前記前進規制状態において前記作動部の前進を規制する前進規制部と、を備え、
前記後退規制部は、前記後退規制状態において、前記変位可能部の各ユニットに後方から当接することで前記変位可能部の各ユニットの後退を阻止可能であり、
前記前進規制部は、前記前進規制状態において、前記変位可能部の各ユニットに前方から当接することで前記変位可能部の各ユニットの前進を阻止可能であり、
前記変位可能部の各ユニットは、前進に伴う復元変位によって前記後退規制部の前方に移動可能であるとともに、後退に伴う復元変位によって前記前進規制部の後方に移動可能である、
請求項４又は５に記載のポンプ。
【請求項７】
前記回動部は、
前記後退規制解除操作に伴って、前記変位可能部の各ユニットを前記径方向に弾性変位させるために前記変位可能部の各ユニットを押圧することで、前記後退規制状態から前記後退許容状態への移行を可能にする後退規制解除部と、
前記前進規制解除操作に伴って、前記変位可能部の各ユニットを前記径方向に弾性変位させるために前記変位可能部の各ユニットを押圧することで、前記前進規制状態から前記前進許容状態への移行を可能にする前進規制解除部と、を備える、請求項６に記載のポンプ。
【請求項８】
前記変位可能部の各ユニットは、前記後退規制状態での前記回動部に対する初期位置から、少なくとも前記後退規制解除操作及び前記作動部の後退及びその後の前進を経ることによって、前記初期位置に復帰可能である、請求項２、３、６、７のいずれか一項に記載のポンプ。
【請求項９】
前記回動部は、前記初期位置への前記変位可能部の各ユニットの復帰を可能にするために、前記変位可能部の各ユニットの前進に伴って、前記変位可能部の各ユニットによって前記口部の周方向他方側に押されることで前記回動部を前記周方向他方側に回動させる被押圧部を備える、請求項８に記載のポンプ。
【請求項１０】
前記変位可能部の各ユニットは、
前記口部の周方向に延在する片持ち支持された弾性アームと、
前記弾性アームの先端部から復元変位方向に突出する突出部と、を備える、
請求項２、３、６〜９のいずれか一項に記載のポンプ。
【請求項１１】
前記変位可能部の各ユニットは、前記口部の径方向内側に弾性変位可能であるとともに、前記口部の径方向外側に復元変位可能である、請求項２、３、６〜１０のいずれか一項に記載のポンプ。
【請求項１２】
前記作動部は、前記固定部に設けられた案内部に進退方向に案内される被案内部を備える、請求項２、３、６〜１１のいずれか一項に記載のポンプ。
【請求項１３】
前記作動部は、前記内容物を吐出する吐出口と前記変位可能部とを有するとともに前進方向に押下げ操作可能な吐出ヘッドを備える、請求項２、３、６〜１２のいずれか一項に記載のポンプ。
【請求項１４】
前記収容空間に配置される吸込口と、
前記内容物を吐出する吐出口と、
前記固定部と前記作動部とによって、前記吸込口から前記吐出口までの流路に区画されるとともに、前記作動部の前進によって容積が減少し、前記作動部の後退によって容積が増加するポンプ室と、
前記ポンプ室より上流側に位置する上流側逆流防止部と、
前記ポンプ室より下流側に位置する下流側逆流防止部と、
前記作動部を後退方向に付勢する弾性体と、を備え、
前記固定部は、シリンダを備え、
前記作動部は、前記シリンダの内面を摺動可能なピストンを備える、
請求項２、３、６〜１３のいずれか一項に記載のポンプ。
【請求項１５】
前記固定部は、
前記シリンダを有するシリンダ部材と、
前記シリンダ部材を前記口部に固定するために前記口部に装着されるキャップ部材と、を備え、
前記回動部は、少なくとも前記周方向一方側に回動可能に前記キャップ部材に取付けられたリング部材で構成されている、
請求項１４に記載のポンプ。
【発明の詳細な説明】
【技術分野】
【０００１】
本発明は、ポンプに関する。
【背景技術】
【０００２】
容器の口部に固定される固定部と、容器の内容物を吐出するために固定部に対して口部の軸方向に進退可能な作動部とを備えるポンプが知られている。このようなポンプは、例えば特許文献１に記載されるように、内容物を収容した容器に取り付けられた状態で、作動部を進退させるための操作を受ける毎に、内容物を吐出することができる。
【先行技術文献】
【特許文献】
【０００３】
【特許文献１】特開２０１７−１７８４４２号公報
【発明の概要】
【発明が解決しようとする課題】
【０００４】
前記のようなポンプを用いる場合には、作動部を進退させる操作を繰り返すことで、内容物を繰り返し吐出することができる。しかし、そのために内容物を過剰に使用してしまう場合がある。
【０００５】
本発明の目的は、容器の内容物の過剰な使用を抑制できるポンプを提供することにある。
【課題を解決するための手段】
【０００６】
本発明の一態様に係るポンプは、
容器の口部に固定される固定部と、
前記容器の内容物を吐出するために前記固定部に対して前記口部の軸方向に進退可能な作動部と、
少なくとも前記口部の周方向一方側に回動可能に前記固定部に取付けられた回動部と、を備え、
前記作動部の後退が規制された後退規制状態から、前記回動部を前記周方向一方側に回動させる後退規制解除操作によって、前記作動部の後退が許容される後退許容状態に移行可能であり、
前記後退許容状態から、前記作動部の後退及びその後の前進を経て前記後退規制状態に復帰可能である。
【０００７】
本発明に係るポンプは、
前記作動部が、前記口部の径方向に弾性変位及び復元変位可能な、単一又は複数のユニットからなる変位可能部を備えてもよく、
前記回動部が、前記後退規制状態において前記作動部の後退を規制する後退規制部を備えてもよく、
前記後退規制部が、前記後退規制状態において、前記変位可能部の各ユニットに後方から当接することで前記変位可能部の各ユニットの後退を阻止可能であってもよく、
前記変位可能部の各ユニットが、前進に伴う復元変位によって前記後退規制部の前方に移動可能であってもよい。
【０００８】
本発明に係るポンプは、前記回動部が、前記後退規制解除操作に伴って、前記変位可能部の各ユニットを前記径方向に弾性変位させるために前記変位可能部の各ユニットを押圧することで、前記後退規制状態から前記後退許容状態への移行を可能にする後退規制解除部を備えてもよい。
【０００９】
本発明に係るポンプは、
前記後退許容状態から、前記作動部の後退によって、前記作動部の前進が規制された前進規制状態に移行可能であってもよく、
前記前進規制状態から、前記回動部を前記周方向一方側又は前記口部の周方向他方側に回動させる前進規制解除操作によって、前記作動部の前進が許容される前進許容状態に移行可能であってもよい。
【００１０】
本発明に係るポンプは、前記前進規制解除操作の回動方向が、前記後退規制解除操作の回動方向と同一であってもよい。
【００１１】
本発明に係るポンプは、
前記作動部が、前記口部の径方向に弾性変位及び復元変位可能な、単一又は複数のユニットからなる変位可能部を備えてもよく、
前記回動部が、
前記後退規制状態において前記作動部の後退を規制する後退規制部と、
前記前進規制状態において前記作動部の前進を規制する前進規制部と、を備えてもよく、
前記後退規制部が、前記後退規制状態において、前記変位可能部の各ユニットに後方から当接することで前記変位可能部の各ユニットの後退を阻止可能であってもよく、
前記前進規制部が、前記前進規制状態において、前記変位可能部の各ユニットに前方から当接することで前記変位可能部の各ユニットの前進を阻止可能であってもよく、
前記変位可能部の各ユニットが、前進に伴う復元変位によって前記後退規制部の前方に移動可能であるとともに、後退に伴う復元変位によって前記前進規制部の後方に移動可能であってもよい。
【００１２】
本発明に係るポンプは、
前記回動部が、
前記後退規制解除操作に伴って、前記変位可能部の各ユニットを前記径方向に弾性変位させるために前記変位可能部の各ユニットを押圧することで、前記後退規制状態から前記後退許容状態への移行を可能にする後退規制解除部と、
前記前進規制解除操作に伴って、前記変位可能部の各ユニットを前記径方向に弾性変位させるために前記変位可能部の各ユニットを押圧することで、前記前進規制状態から前記前進許容状態への移行を可能にする前進規制解除部と、を備えてもよい。
【００１３】
本発明に係るポンプは、前記変位可能部の各ユニットが、前記後退規制状態での前記回動部に対する初期位置から、少なくとも前記後退規制解除操作及び前記作動部の後退及びその後の前進を経ることによって、前記初期位置に復帰可能であってもよい。
【００１４】
本発明に係るポンプは、前記回動部が、前記初期位置への前記変位可能部の各ユニットの復帰を可能にするために、前記変位可能部の各ユニットの前進に伴って、前記変位可能部の各ユニットによって前記口部の周方向他方側に押されることで前記回動部を前記周方向他方側に回動させる被押圧部を備えてもよい。
【００１５】
本発明に係るポンプは、
前記変位可能部の各ユニットが、
前記口部の周方向に延在する片持ち支持された弾性アームと、
前記弾性アームの先端部から復元変位方向に突出する突出部と、を備えてもよい。
【００１６】
本発明に係るポンプは、前記変位可能部の各ユニットが、前記口部の径方向内側に弾性変位可能であるとともに、前記口部の径方向外側に復元変位可能であってもよい。
【００１７】
本発明に係るポンプは、前記作動部が、前記固定部に設けられた案内部に進退方向に案内される被案内部を備えてもよい。
【００１８】
本発明に係るポンプは、前記作動部が、前記内容物を吐出する吐出口と前記変位可能部とを有するとともに前進方向に押下げ操作可能な吐出ヘッドを備えてもよい。
【００１９】
本発明に係るポンプは、
前記収容空間に配置される吸込口と、
前記内容物を吐出する吐出口と、
前記固定部と前記作動部とによって、前記吸込口から前記吐出口までの流路に区画されるとともに、前記作動部の前進によって容積が減少し、前記作動部の後退によって容積が増加するポンプ室と、
前記ポンプ室より上流側に位置する上流側逆流防止部と、
前記ポンプ室より下流側に位置する下流側逆流防止部と、
前記作動部を後退方向に付勢する弾性体と、を備えてもよく、
前記固定部が、シリンダを備えてもよく、
前記作動部は、前記シリンダの内面を摺動可能なピストンを備えてもよい。
【００２０】
本発明に係るポンプは、
前記固定部が、
前記シリンダを有するシリンダ部材と、
前記シリンダ部材を前記口部に固定するために前記口部に装着されるキャップ部材と、を備えてもよく、
前記回動部が、少なくとも前記周方向一方側に回動可能に前記キャップ部材に取付けられたリング部材で構成されていてもよい。
【発明の効果】
【００２１】
本発明によれば、容器の内容物の過剰な使用を抑制できるポンプを提供することができる。
【図面の簡単な説明】
【００２２】
【図１】本発明の実施形態に係るポンプを備えた吐出容器を、吐出ヘッドの押下げ前の状態で示す一部断面側面図である。
【図２】図１に示す吐出容器を、吐出ヘッドの押下げ後の状態で示す一部断面側面図である。
【図３】図１に示すポンプを構成するヘッド部材、袴部材、リング部材及びキャップ部材の分解斜視図である。
【図４】図３に示すリング部材を示す斜視図である。
【図５】図３に示す袴部材を示す上面図である。
【図６】（ａ）は、前進規制状態における袴部材及びリング部材を示す上面図であり、（ｂ）は、（ａ）のＡ−Ａ線に沿ってリング部材を示す断面図である。
【図７】（ａ）は、前進許容状態における袴部材及びリング部材を示す上面図であり、（ｂ）は、（ａ）のＢ−Ｂ線に沿ってリング部材を示す断面図である。
【図８】（ａ）は、後退規制状態における袴部材及びリング部材を示す上面図であり、（ｂ）は、（ａ）のＣ−Ｃ線に沿ってリング部材を示す断面図である。
【発明を実施するための形態】
【００２３】
以下、図面を参照して、本発明の実施形態に係るポンプ１について詳細に例示説明する。なお、上下方向とは、容器２の口部２ａの軸方向（中心軸線Ｏに沿う方向）を意味し、上方とは、胴部２ｂから口部２ａに向かう方向（例えば図１における上方）であり、下方とはその反対方向である。また、口部２ａの径方向、径方向内側及び径方向外側を、単に径方向、径方向内側及び径方向外側ともいい、口部２ａの周方向を単に周方向ともいう。
【００２４】
図１に示すように、本実施形態に係るポンプ１は、容器２に装着されて吐出容器３を構成している。容器２は、内容物４を収容する収容空間５に連なる環状の口部２ａを備えている。本実施形態では口部２ａの形状は円筒状であるが、これに限定されない。容器２は、口部２ａに連なる胴部２ｂを備え、口部２ａの内面と胴部２ｂの内面とによって収容空間５を区画している。胴部２ｂの形状は、本実施形態では口部２ａより拡径した有底円筒状をなしているが、これに限定されない。容器２は、例えば合成樹脂、ガラス又は金属製であってよい。
【００２５】
また、容器２は、口部２ａと、口部２ａに連なるとともに剛性を有する胴部と、口部２ａに連なるとともに胴部の内側に配置された可撓性を有する袋状の収容部と、胴部と収容部との間の部分に外気を導入可能な外気導入口と、を備える二重容器であってもよい。この場合、二重容器は、外口部と外口部に連なる胴部とを有する外体と、外口部と協働して口部を構成する内口部と内口部に連なる収容部とを有する内体と、を備えてもよい。また、二重容器は、外体と内体とが剥離可能に積層された積層剥離容器であってもよい。積層剥離容器は、積層パリソンに対してブロー成形を施す押出しブロー成形（ＥＢＭ：Extrusion Blow Molding）によって形成してもよいし、積層プリフォームに対してブロー成形を施す二軸延伸ブロー成形によって形成してもよい。二重容器は、外体と内体とを別個に形成した後に組合せたものであってもよい。
【００２６】
内容物４は、液状であってよい。また、その粘度は特に限定されない。また、内容物４の種類は特に限定されず、例えば薬剤、化粧料等であってよい。
【００２７】
図１〜図２に示すように、ポンプ１は、容器２の口部２ａに固定される固定部６と、容器２の内容物４を吐出するために固定部６に対して口部２ａの軸方向に進退可能な作動部７と、を備えている。本実施形態では、ポンプ１は、収容空間５に配置される吸込口（図示省略）と、内容物４を吐出する吐出口８と、固定部６と作動部７とによって、吸込口から吐出口８までの流路に区画されるとともに、作動部７の前進によって容積が減少し、作動部７の後退によって容積が増加するポンプ室９と、ポンプ室９より上流側に位置する上流側逆流防止部１０と、ポンプ室９より下流側に位置する下流側逆流防止部１１と、作動部７を後退方向に付勢する弾性体１２と、を備えている。また、固定部６は、シリンダ１３を備え、作動部７は、シリンダ１３の内面を摺動可能なピストン１４を備えている。弾性体１２は、例えば金属又は合成樹脂製の、コイルばねで構成されている。
【００２８】
作動部７は、横向きの吐出口８を有するとともに前進方向に押下げ操作可能な吐出ヘッド１５を備えている。吐出ヘッド１５は、本実施形態ではヘッド部材１６と袴部材１７とで構成されている。しかし、ヘッド部材１６と袴部材１７とは一体に成形されてもよい。
【００２９】
固定部６は、シリンダ１３を有するシリンダ部材１８と、シリンダ部材１８に固着された円環状の封止部材１９と、シリンダ部材１８を口部２ａに固定するために口部２ａに装着されるキャップ部材２０と、シリンダ部材１８に固定されるとともに下端に吸込口を有する管部材２１と、シリンダ部材１８に固定されるとともに上流側逆流防止部１０を構成する弁部材２２と、シリンダ１３の内周面の上部に固定された抜け止め部材２３と、を備えている。キャップ部材２０は、本実施形態では、口部２ａの外周面に設けられた係合部に打栓によって係止される被係合部を有している。しかし、キャップ部材２０は、口部２ａの外周面に設けられた雄ねじに螺合可能な雌ねじを有していてもよい。シリンダ部材１８は、円筒状のシリンダ１３の上端部から径方向外側に延在する円環状のフランジ１８ａを有している。封止部材１９は、フランジ１８ａの下面に固着されている。固定部６の形状又は部材構成等は、適宜変更が可能である。
【００３０】
シリンダ部材１８、キャップ部材２０、管部材２１及び抜け止め部材２３は、合成樹脂製であってよい。封止部材１９は、例えばゴム又はエラストマー製であってよい。弁部材２２は、例えば合成樹脂、ゴム又はエラストマー製であってよい。
【００３１】
作動部７は、前述したヘッド部材１６及び袴部材１７の他に、ヘッド部材１６に接続する接続部材２４と、接続部材２４に固定された管状の上ステム部材２５と、上ステム部材２５の外周面の上端部に固定されたばね支持部材２６と、上ステム部材２５の内周面に固定された下ステム部材２７と、上ステム部材２５と下ステム部材２７との間に、これらに対して相対的に上下動可能に保持されるとともにピストン１４を有するピストン部材２８と、を備えている。ピストン部材２８は円環状をなしており、その外周部にはピストン１４が設けられている。ピストン部材２８の下部と下ステム部材２７との間には、作動部７の前進に伴って開く（図２参照）一方で、作動部７の後退に伴って閉じる（図１参照）開口が形成される。したがって、下流側逆流防止部１１は、ピストン部材２８の下部と下ステム部材２７とで構成されている。しかし、作動部７の形状又は部材構成等は、適宜変更が可能である。
【００３２】
ヘッド部材１６、袴部材１７、接続部材２４、上ステム部材２５、ばね支持部材２６、下ステム部材２７及びピストン部材２８は、例えば合成樹脂製であってよい。
【００３３】
本実施形態では、ポンプ１は、口部２ａの周方向に回動可能に固定部６に取付けられた回動部２９を備えている。回動部２９は、口部２ａの周方向に回動可能にキャップ部材２０に取付けられたリング部材３０で構成されている。しかし、回動部２９の部材構成等は適宜変更が可能である。
【００３４】
図３及び図５に示すように、作動部７の袴部材１７は、口部２ａの径方向に弾性変位及び復元変位可能な、２つのユニット３１ａ、３１ｂからなる変位可能部３１を備えている。変位可能部３１は、作動部７における袴部材１７以外の部分に設けてもよい。変位可能部３１の各ユニット３１ａ、３１ｂは、口部２ａの周方向に延在する片持ち支持された弾性アーム３２と、弾性アーム３２の先端部から復元変位方向に突出する第１突出部３３と、弾性アーム３２の先端部から弾性変位方向に突出する第２突出部３４と、を備えている。本実施形態では、変位可能部３１の各ユニット３１ａ、３１ｂは、口部２ａの径方向内側に弾性変位可能（図５における二点鎖線参照）であるとともに、口部２ａの径方向外側に復元変位可能（図５における実線参照）である。
【００３５】
図３に示すように、作動部７の袴部材１７は、固定部６のキャップ部材２０に設けられた案内部３５に進退方向に案内される被案内部３６を有している。袴部材１７の被案内部３６は、本実施形態では、２つのユニット３６ａ、３６ｂからなっている。被案内部３６の各ユニット３６ａ、３６ｂは、凸部で構成されている。案内部３５は、被案内部３６の各ユニット３６ａ、３６ｂを案内するように構成されている。案内部３５は、縦溝で構成された２つのユニット３５ａ、３５ｂからなっている。本実施形態では、案内部３５の各ユニット３５ａ、３５ｂは、キャップ部材２０の周壁３７の内周面に設けられている。
【００３６】
図１及び図３に示すように、キャップ部材２０は、口部２ａに装着される円筒状の装着壁３８と、装着壁３８の上端部から径方向内側に延在する円環状の内向きフランジ３９と、装着壁３８の上端部から径方向外側に延在する外向きフランジ４０と、外向きフランジ４０の外周縁部から垂下する外周壁４１と、外向きフランジ４０から上方に延在する周壁３７と、を備えている。周壁３７の上端部には、外周面が段差状に縮径した縮径部３７ａが設けられている。
【００３７】
袴部材１７は、ヘッド部材１６の円筒状の筒壁１６ａに固定されている。筒壁１６ａは、ヘッド部材１６の下部に設けられており、円環状の下端面を有している。図３及び図５に示すように、袴部材１７は、ヘッド部材１６の筒壁１６ａの下端面に当接する上面を有するとともに上面視円弧状をなす、周方向に間隔を空けて配置された２つのユニット４２ａ、４２ｂからなるベース部４２と、ベース部４２の各ユニット４２ａ、４２ｂに連なるとともにヘッド部材１６の筒壁１６ａより径方向内側に配置されるオフセット部４３のユニット４３ａ、４３ｂと、を備える環状をなしている。ベース部４２の各ユニット４２ａ、４２ｂは、筒壁１６ａの外周面に嵌合する上面視円弧状の外壁４４を有している。オフセット部４３の各ユニット４３ａ、４３ｂは、筒壁１６ａの内周面に当接する上面視円弧状の内壁４５を有している。ベース部４２の各ユニット４２ａ、４２ｂの外周面には、被案内部３６のユニット３６ａ、３６ｂを構成する凸部が設けられている。また、ベース部４２の各ユニット４２ａ、４２ｂにおける周方向の端部には、変位可能部３１のユニット３１ａ、３１ｂにおける弾性アーム３２の基端部が連なっている。
【００３８】
本実施形態では、図６〜図７に示すように、ポンプ１は、作動部７の前進が規制された前進規制状態（図６参照）から、回動部２９（リング部材３０）を口部２ａの周方向一方側Ｄ１（図７参照）に回動させる前進規制解除操作によって、作動部７の前進が許容される前進許容状態（図７参照）に移行可能である。
【００３９】
そのために、本実施形態では、回動部２９は、図４及び図６に示すように、前進規制状態において作動部７の前進を規制する前進規制部４６を備えている。そして、前進規制部４６は、前進規制状態において、変位可能部３１の各ユニット３１ａ、３１ｂの第１突出部３３に前方から当接することで変位可能部３１の各ユニット３１ａ、３１ｂの第１突出部３３の前進を阻止可能である。前進規制部４６は、本実施形態では、上面視円弧状の平坦な上面で構成される２つのユニット４６ａ、４６ｂからなっている。
【００４０】
また、回動部２９は、図４及び図７に示すように、前進規制解除操作に伴って、変位可能部３１の各ユニット３１ａ、３１ｂの第１突出部３３を径方向に弾性変位させるために変位可能部３１の各ユニット３１ａ、３１ｂの第１突出部３３を押圧することで、前進規制状態から前進許容状態への移行を可能にする前進規制解除部４７を備えている。前進規制解除部４７は、本実施形態では、周方向一方側Ｄ１（図７参照）に向けて径方向外側に傾斜する傾斜面で構成される２つのユニット４７ａ、４７ｂからなっている。
【００４１】
また、本実施形態では、図７〜図８に示すように、ポンプ１は、前進許容状態（図７参照）から、作動部７の前進によって、作動部７の後退が規制された後退規制状態（図８参照）に移行可能である。そのために、本実施形態では、回動部２９は、図４及び図８に示すように、後退規制状態において作動部７の後退を規制する後退規制部４８を備えている。そして、後退規制部４８は、後退規制状態において、変位可能部３１の各ユニット３１ａ、３１ｂの第１突出部３３に後方から当接することで変位可能部３１の各ユニット３１ａ、３１ｂの第１突出部３３の後退を阻止可能である。また、変位可能部３１の各ユニット３１ａ、３１ｂの第１突出部３３は、前進に伴う復元変位によって後退規制部４８の前方に移動可能である。後退規制部４８は、本実施形態では、底面視円弧状の平坦な下面で構成される２つのユニット４８ａ、４８ｂからなっている。
【００４２】
また、回動部２９は、図４及び図８に示すように、後退規制解除操作に伴って、変位可能部３１の各ユニット３１ａ、３１ｂの第１突出部３３を径方向に弾性変位させるために変位可能部３１の各ユニット３１ａ、３１ｂの第１突出部３３を押圧することで、後退規制状態（図８参照）から後退許容状態への移行を可能にする後退規制解除部４９を備えている。後退規制解除部４９は、本実施形態では、周方向一方側Ｄ１（図８参照）に向けて径方向外側に傾斜する傾斜面で構成される２つのユニット４９ａ、４９ｂからなっている。したがって、ポンプ１は、後退規制状態から、回動部２９を周方向一方側Ｄ１に回動させる後退規制解除操作によって、作動部７の後退が許容される後退許容状態に移行可能である。そして、ポンプ１が後退許容状態になると、弾性体１２の付勢力によって作動部７が後退する。また、変位可能部３１の各ユニット３１ａ、３１ｂの第１突出部３３は、後退に伴う復元変位によって前進規制部４６の後方に移動可能である。したがって、ポンプ１は前進規制状態に復帰することができる。
【００４３】
実際には使用者は、内容物の吐出を終えた直後の状態である後退規制状態でポンプ１の使用を終えることができる。したがって、使用者は、次の使用に際しては、この後退規制状態から、後退規制解除操作及び前進規制解除操作を行うことにより、作動部７を操作して内容物を吐出することができる。このように、本実施形態に係るポンプ１は、作動部７の後退が規制された後退規制状態から、回動部２９を口部２ａの周方向一方側Ｄ１に回動させる後退規制解除操作によって、作動部７の後退が許容される後退許容状態に移行可能であり、後退許容状態から、作動部７の後退及びその後の前進を経て後退規制状態に復帰可能である。したがって、内容物４の吐出操作の度に後退規制解除操作が必要になるので、内容物４の過剰な使用を抑制することができる。
【００４４】
本実施形態では、前進規制解除操作の回動方向は、後退規制解除操作の回動方向と同一である。したがって、内容物４を繰り返し吐出するために必要となる解除操作を使用者にとって分かり易くすることができる。しかし、前進規制解除操作の回動方向が後退規制解除操作の回動方向と反対側になるように構成してもよい。また、ポンプ１は、本実施形態では作動部７が後退後に前進規制状態を経て前進する構成とされているが、作動部７が後退後に前進規制状態を経ずに前進する構成とされてもよい。
【００４５】
本実施形態では、変位可能部３１の各ユニット３１ａ、３１ｂの第１突出部３３は、後退規制状態での回動部２９に対する初期位置から、後退規制解除操作、作動部７の後退、前進規制解除操作及び作動部７の前進を経ることによって、初期位置に復帰可能である。そして、回動部２９は、初期位置への変位可能部３１の各ユニット３１ａ、３１ｂの第１突出部３３の復帰を可能にするために、図７〜図８に示すように、変位可能部３１の各ユニット３１ａ、３１ｂの第１突出部３３の前進に伴って、変位可能部３１の各ユニット３１ａ、３１ｂの第１突出部３３によって周方向他方側Ｄ２（図８参照）に押されることで回動部２９を周方向他方側Ｄ２に回動させる被押圧部５０を備えている。被押圧部５０は、本実施形態では、図４及び図７に示すように、周方向一方側Ｄ１（図７参照）に向けて下方に傾斜する傾斜面（本実施形態では、２段階の傾斜角度を有する傾斜面）で構成される２つのユニット５０ａ、５０ｂからなっている。
【００４６】
被押圧部５０は、本実施形態では、変位可能部３１の各ユニット３１ａ、３１ｂの前進に伴って回動部２９を回動させるように構成されている。しかし、被押圧部５０は、変位可能部３１の各ユニット３１ａ、３１ｂの後退に伴って回動部２９を回動させるように構成されてもよい。また、ポンプ１は、本実施形態では、変位可能部３１の各ユニット３１ａ、３１ｂが初期位置に復帰可能に構成されている。しかし、ポンプ１は、変位可能部３１の各ユニット３１ａ、３１ｂが、後退規制部４８の或るユニット４８ａ、４８ｂに後退を規制された後退規制状態から、少なくとも後退規制解除操作及び作動部７の前進を経ることによって、後退規制部４８の前記或るユニット４８ａ、４８ｂに隣接するユニット４８ａ、４８ｂに後退を規制された後退規制状態に復帰可能に構成されてもよい。この場合、ポンプ１は、回動部２９が口部２ａの周方向一方側Ｄ１のみに回動可能に固定部６に取付けられる構成とされてもよい。
【００４７】
図４に示すように、リング部材３０は、キャップ部材２０の周壁３７の縮径部３７ａに上方に抜け止め可能に且つ周方向に回動可能に嵌合する円筒状の外筒５１と、外筒５１の上端縁から径方向内側に延在する円環状の内向きフランジ５２と、内向きフランジ５２の内周縁部に連結された内壁５３と、を備えている。内壁５３は、２つのユニット５３ａ、５３ｂからなっている。
【００４８】
内壁５３の各ユニット５３ａ、５３ｂは、内向きフランジ５２の内周縁部から径方向内側に延在する第１連結壁５４ａと、第１連結壁５４ａより周方向他方側Ｄ２に位置するとともに内向きフランジ５２の内周縁部から径方向内側に延在する第２連結壁５４ｂと、第１連結壁５４ａの内周縁部に連なる周方向他方側Ｄ２の縁部を有する上面視円弧状の第１壁５５と、第１壁５５の内周面から径方向内側に突出する上面視円弧状の第２壁５６と、第１壁５５の周方向一方側Ｄ１の縁部に連なるとともに第１壁５５よりやや小さい内径を有する上面視円弧状の第３壁５７と、を備えている。第１壁５５の周方向他方側Ｄ２の縁部は、その上端部において第１連結壁５４ａの内周縁部に連なっている。また、第３壁５７は、その上端縁部において第２連結壁５４ｂの内周縁部に連なっている。
【００４９】
第１壁５５の上下方向中間部には、前進規制部４６を構成する、平坦な上面が設けられている。また、第１壁５５は、前進規制部４６から上方に延在するとともに前進規制解除部４７を構成する、周方向一方側Ｄ１に向けて径方向外側に傾斜する傾斜面を有している。第２壁５６は、被押圧部５０を構成する、周方向一方側Ｄ１（図７参照）に向けて下方に傾斜する傾斜面を有している。第１壁５５及び第３壁５７の下部には、後退規制部４８を構成する、平坦な下面が設けられている。第１壁５５の下部には、後退規制解除部４９を構成する、周方向一方側Ｄ１に向けて径方向外側に傾斜する傾斜面が設けられている。なお、内壁５３の形状等は適宜変更が可能である。
【００５０】
前述した本実施形態は、本発明の実施形態の一例にすぎず、発明の要旨を逸脱しない範囲で種々変更可能であることはいうまでもない。
【００５１】
前記の実施形態では、変位可能部３１が２つのユニット３１ａ、３１ｂからなっている。しかし、変位可能部３１は、３つ以上のユニットからなっていてもよいし、単一のユニットからなっていてもよい。また、案内部３５、被案内部３６、ベース部４２、オフセット部４３、前進規制部４６、前進規制解除部４７、後退規制部４８、後退規制解除部４９、被押圧部５０及び内壁５３のユニットの数も、変位可能部３１のユニットの数に合わせて変更が可能である。
【００５２】
また、前記の実施形態では、ポンプ１は、吐出ヘッド１５を備える押下げ操作式のものとして構成されている。しかし、ポンプ１は、トリガーを備える牽曳操作式のものとして構成されてもよい。また、前記の実施形態では、ポンプ１は、内容物４を液状のまま又は霧状にして吐出するように構成されている。しかし、ポンプ１は、適宜発泡部材を流路内に配置するなどして、内容物４を泡状に吐出するように構成されてもよい。
【符号の説明】
【００５３】
１  ポンプ
２  容器
２ａ  口部
２ｂ  胴部
３  吐出容器
４  内容物
５  収容空間
６  固定部
７  作動部
８  吐出口
９  ポンプ室
１０  上流側逆流防止部
１１  下流側逆流防止部
１２  弾性体
１３  シリンダ
１４  ピストン
１５  吐出ヘッド
１６  ヘッド部材
１６ａ  筒壁
１７  袴部材
１８  シリンダ部材
１８ａ  フランジ
１９  封止部材
２０  キャップ部材
２１  管部材
２２  弁部材
２３  抜け止め部材
２４  接続部材
２５  上ステム部材
２６  ばね支持部材
２７  下ステム部材
２８  ピストン部材
２９  回動部
３０  リング部材
３１  変位可能部
３１ａ、３１ｂ  変位可能部のユニット
３２  弾性アーム
３３  第１突出部
３４  第２突出部
３５  案内部
３５ａ、３５ｂ  案内部のユニット
３６  被案内部
３６ａ、３６ｂ  被案内部のユニット
３７  周壁
３７ａ  縮径部
３８  装着壁
３９  内向きフランジ
４０  外向きフランジ
４１  外周壁
４２  ベース部
４２ａ、４２ｂ  ベース部のユニット
４３  オフセット部
４３ａ、４３ｂ  オフセット部のユニット
４４  外壁
４５  内壁
４６  前進規制部
４６ａ、４６ｂ  前進規制部のユニット
４７  前進規制解除部
４７ａ、４７ｂ  前進規制解除部のユニット
４８  後退規制部
４８ａ、４８ｂ  後退規制部のユニット
４９  後退規制解除部
４９ａ、４９ｂ  後退規制解除部のユニット
５０  被押圧部
５０ａ、５０ｂ  被押圧部のユニット
５１  外筒
５２  内向きフランジ
５３  内壁
５３ａ、５３ｂ  内壁のユニット
５４ａ  第１連結壁
５４ｂ  第２連結壁
５５  第１壁
５６  第２壁
５７  第３壁
Ｏ  中心軸線
Ｄ１  周方向一方側
Ｄ２  周方向他方側
【図１】
2019206378.tif 000003
【図２】
2019206378.tif 000004
【図３】
2019206378.tif 000005
【図４】
2019206378.tif 000006
【図５】
2019206378.tif 000007
【図６】
2019206378.tif 000008
【図７】
2019206378.tif 000009
【図８】
2019206378.tif 000010